(57)【要約】      （修正有）【課題】各個人の肌に合った最適な身体洗浄器具を提供すると共に、清掃器具や健康器具等として多用途に使用することが出来、利便性がよく経済的である取っ手を提供する。【解決手段】取っ手１であって、平板棒状であって、その全ての面にヤスリ状のスリット加工が施されていて、少なくとも２か所で曲がっていて、両端部は同一形状であって、両端部には、樹脂製デッキブラシ部品３又は樹脂製先端球状健康器具を取り付けるための穴が開いていて、プラスチック樹脂を射出成形して製作されている。穴の少なくとも一方には、樹脂製デッキブラシ部品３又は樹脂製先端球状健康器具が、樹脂製デッキブラシ部品３又は樹脂製先端球状健康器具の樹脂製ネジとステンレス製バネ座金５と樹脂製丸ナット２にて脱着可能に取り付けられている。【選択図】図１
0003198650.tif 000002
【実用新案登録請求の範囲】
【請求項１】
取っ手の部分が平板棒状で  その全ての面をヤスリ状のスリット加工を施し、少なくとも２か所を曲げてあり、左右の端部は同一形状で  各器具を取り付けるための穴が開いている構造で、プラスチック樹脂等の材料を射出成形して  製作することを特徴とする。
【請求項２】
前記、プラスチック樹脂製取っ手の左右の端部の穴に各器具の樹脂製ネジとステンレス製バネ座金及び樹脂製丸ナットにて脱着可能な構造としていることを特徴とする。
【考案の詳細な説明】
【技術分野】
【０００１】
本考案は、身体を洗浄するための身体洗浄器具、浴槽やタイル等の清掃器具、及び健康器具等  多用途に使用可能な樹脂製ブラシ及びプラスチック樹脂製取っ手に、関するものである。
【背景技術】
【０００２】
従来の身体を洗浄するブラシは、ブラシ部と取っ手部が一体となっており  それ以外の使用には適さず  高価であった。又、実際に使用するとブラシの毛が硬すぎたり、柔らかすぎたりして個人差により  肌に合わないトラブルがたびたび発生していた。
【先行技術文献】
【特許文献】
【０００３】
【特許文献１】特開２０００−１０７２４５
【非特許文献】
【０００４】
【非特許文献１】未検索。
【考案の概要】
【考案が解決しようとする課題】
【０００５】
解決しようとする課題は、各個人の肌に合った最適な身体洗浄器具を提供すると共に、使い古した物を清掃器具として  再利用したり、健康器具等として多用途に使用することが出来るため  利便性がよく経済的である。
【課題を解決するための手段】
【０００６】
本考案は、取っ手の部分が平板棒状で  その全ての面をヤスリ状のスリット加工し、少なくとも２箇所を曲げてあり、左右の端部は同一形状で  各器具を取り付けるための穴が開いている構造で、プラスチック樹脂等の材料を射出成形して  製作することを特徴とする。
【考案の効果】
【０００７】
本考案は、プラスチック樹脂等の材料を射出成形して  製作しているので、安価に大量生産が可能で、衛生的で取っ手部分のみの単体でも  孫の手や肩たたき等の健康器具として使用出来る上、各部品の脱着が容易に行え  多用途に再利用も出来るので経済的である。
【図面の簡単な説明】
【０００８】
【図１】図１は、本考案の正面図。（実施例１）
【図２】図２は、本考案の平面図。（実施例１）
【図３】図３は、本考案の左側面図。（実施例１）
【図４】図４は、本考案A部の断面図。
【図５】図５は、本考案の健康器具を取り付けた参考例の正面図。（実施例２）
【考案を実施するための形態】
【０００９】
本考案は、プラスチック樹脂製取っ手部分のみの単体でも  孫の手や肩たたき等の健康器具として使用出来る上、図中の左端部に樹脂製デッキブラシ部品を取り付けると  浴槽やタイル等の清掃器具となり、図中の右端部に樹脂製身体洗浄ブラシ部品や樹脂製身体洗浄スポンジ部品を取り付けると  身体の洗浄器具となり、同様に図中の右端部に球状のプラスチック樹脂等の射出成形部品を取り付けると  肩たたきや指圧等の健康器具等になることを特徴とする。
【実施例】
【００１０】
（実施例１）
図１の実施例１は、本考案の正面図であって、１，２は、図２、図３、図５と同様である。１のプラスチック樹脂製取っ手の部分は、平板棒状で  その全ての面をヤスリ状のスリット加工を施し、少なくとも２か所を曲げてあり、左右の端部は同一形状で  各器具を取付けるための穴が開いている構造で、プラスチック樹脂等の材料を射出成形して  製作する。
【００１１】
１のプラスチック樹脂製取っ手の部分は、平板棒状で  その全ての面をヤスリ状のスリット加工を施しているので、１のプラスチック樹脂製取っ手部分のみの単体でも  孫の手や肩たたき等の健康器具として使用出来る。
【００１２】
図２の実施例１は、本考案の平面図であって、３の樹脂製デッキブラシ部品の樹脂製ネジと２の樹脂製丸ナットにて  １のプラスチック樹脂製取っ手左端部の穴に取り付けた状態を示す。この状態では、デッキブラシとして  浴槽やタイル等の清掃器具となる。本図の３の樹脂製デッキブラシ部品は、丸形状であるが  角形状でも差し支えない。又、２の樹脂製ナットの直径は出来るだけ大きい方が  弱い力でも回せるので老人等でも操作性が良い。
【００１３】
図３の実施例１は、本考案の左側面図であって、３の樹脂製デッキブラシ部品には、１のプラスチック樹脂製取っ手幅より若干広めの凹みに１のプラスチック樹脂製取っ手が勘合するように、３の樹脂製デッキブラシ部品を取付けることにより  使用時に２の樹脂製丸ナットの緩みを防止する。又、５のステンレス製バネ座金を使用すると  より確実である。
【００１４】
図４は、本考案A部の断面図であって、ヤスリ状のスリット加工を拡大した断面を示す。
【００１５】
（実施例２）
図５は、本考案の健康器具を取り付けた参考例の正面図であって、破線で示す４の樹脂製先端球状健康器具を  １のプラスチック樹脂製取っ手右端部の穴に取り付けた状態を示す。この状態では、肩たたきや指圧等の健康器具として  使用することが出来る。  
【産業上の利用可能性】
【００１６】
本考案をそのまま大型化すれば、洗車等にも適用出来る。又、ブラシの材質を防錆金属ワイヤー等にし、金属の錆落としや磨き等のブラッシング用途等にも適用出来る。
【符号の説明】
【００１７】
１  プラスチック樹脂製取っ手
２  樹脂製丸ナット
３  樹脂製デッキブラシ部品
４  樹脂製先端球状健康器具
５  ステンレス製バネ座金
【図１】
0003198650.tif 000003
【図２】
0003198650.tif 000004
【図３】
0003198650.tif 000005
【図４】
0003198650.tif 000006
【図５】
0003198650.tif 000007
【手続補正書】
【提出日】平成27年5月13日(2015.5.13)
【手続補正１】
【補正対象書類名】実用新案登録請求の範囲
【補正対象項目名】全文
【補正方法】変更
【補正の内容】
【実用新案登録請求の範囲】
【請求項１】
取っ手であって、平板棒状であって、その全ての面にヤスリ状のスリット加工が施されていて、少なくとも２か所で曲がっていて、両端部は同一形状であって、両端部には、樹脂製デッキブラシ部品又は樹脂製先端球状健康器具を取り付けるための穴が開いていて、プラスチック樹脂を射出成形して製作されている取っ手。
【請求項２】
請求項１に記載の取っ手であって、前記穴の少なくとも一方には、樹脂製デッキブラシ部品又は樹脂製先端球状健康器具が、樹脂製デッキブラシ部品又は樹脂製先端球状健康器具の樹脂製ネジとステンレス製バネ座金と樹脂製丸ナットにて脱着可能に取り付けられている取っ手。